(57)【要約】 【課題】  電子システムを提供する。【解決手段】  第１電圧を保存する第１蓄積コンデンサを含む第１サブピクセル、第２電圧を保存する第２蓄積コンデンサを含む第２サブピクセル、及び前記第１電圧を処理し、前記処理された結果を制御信号グループに基づいて前記第１、または前記第２コンデンサに伝送する処理ユニットを含むディスプレイパネル、及び関連する機能を実行するメインモジュールを含む電子システム。【選択図】      図３
2008268941.tif 000002
【特許請求の範囲】
【請求項１】
第１電圧を保存する第１蓄積コンデンサを含む第１サブピクセル、
第２電圧を保存する第２蓄積コンデンサを含む第２サブピクセル、及び
前記第１電圧を処理し、前記処理された結果を制御信号グループに基づいて前記第１、または前記第２コンデンサに伝送する処理ユニットを含むディスプレイパネル、及び
関連する機能を実行するメインモジュールを含む電子システム。
【請求項２】
前記第１と前記第２サブピクセルは、データラインに接続される請求項１に記載の電子システム。
【請求項３】
前記処理ユニットは、
前記第１電圧をラッチし、前記制御信号グループの第１制御信号に基づいて、ラッチ信号を発生するサンプルホールド装置、
前記制御信号グループの第２制御信号に基づいて、前記ラッチ信号を変換するインバータ、及び
前記制御信号グループの第３制御信号に基づいて、前記変換された信号を前記第１または前記第２蓄積コンデンサに伝送する制御装置を含む請求項２に記載の電子システム。
【請求項４】
前記制御装置は、
前記第３制御信号を受けるゲート、前記第２蓄積コンデンサに接続されたドレイン／ソースと、前記インバータに接続されたソース／ドレインを含む第１トランジスタ、及び
前記第３制御信号を受けるゲート、前記第１蓄積コンデンサと前記サンプルホールド装置に接続されたドレイン／ソースと、前記第１トランジスタの前記ソース／ドレインに接続されたソース／ドレインを含む第２トランジスタを含む請求項３に記載の電子システム。
【請求項５】
前記第１トランジスタは、Ｎ型であり、前記第２トランジスタは、Ｐ型である請求項４に記載の電子システム。
【請求項６】
前記制御装置は、
前記第３制御信号を受けるゲート、前記第２蓄積コンデンサに接続されたドレイン／ソースと、前記サンプルホールド装置と前記インバータに接続されたソース／ドレインを含む第１トランジスタ、及び
前記第３制御信号を受けるゲート、前記第１蓄積コンデンサに接続されたドレイン／ソースと、前記第１トランジスタの前記ソース／ドレインに接続されたソース／ドレインを含む第２トランジスタを含む請求項３に記載の電子システム。
【請求項７】
前記第１トランジスタは、Ｎ型であり、前記第２トランジスタは、Ｐ型である請求項６に記載の電子システム。
【請求項８】
第３蓄積コンデンサを含む第３サブピクセルを更に含み、前記処理ユニットが前記第１電圧を処理し、前記制御信号グループに基づいて、前記処理された結果を前記第１、前記第２、または前記第３蓄積コンデンサに保存する請求項６に記載の電子システム。
【請求項９】
前記第３サブピクセルは、前記データラインに接続される請求項８に記載の電子システム。
【請求項１０】
前記第１と前記第２サブピクセルは、表示領域に配置され、前記第３サブピクセルは、非表示領域に配置され、前記表示領域は、画像表示を表示することができ、前記非表示領域は、画像を表示することができない請求項９に記載の電子システム。
【発明の詳細な説明】
【技術分野】
【０００１】
本発明は、電子システムに関し、特に、低電力のディスプレイパネルを含む電子システムに関するものである。
【背景技術】
【０００２】
液晶ディスプレイ（ＬＣＤ）は、薄型、軽量と、低放射の好ましい利点を有することから広く用いられている。ＬＣＤは、特に例えば、デジタルスチルカメラ（ＤＳＣ）、ノートパソコンと、ＰＤＡなどの携帯機器によく用いられる。ＬＣＤの駆動方式は、スタティック駆動、単純マトリクス駆動と、アクティブマトリクス駆動を含む。単純マトリクス駆動（パッシブマトリクスとしても知られている）は、ねじれネマティック（ＴＮ）型と超ねじれネマティック（ＳＴＮ）型を含む。薄膜トランジスタ（ＴＦＴ）は、通常、アクティブマトリクスＬＣＤに用いられる。
【０００３】
ＬＣＤが光を放射しないことから、均一な高輝度を提供することができるバックライトが用いられる。ＬＣＤは、通常、データ信号を複数のサブピクセルに提供するソースドライバを含む。各サブピクセルは、液晶材料を含む。データ信号は、対応する液晶材料を循環させ、バックライトから発された光を液晶材料に通過させる。よって、画素が階調レベルを表示する。ソースドライバは、データ信号を連続的に提供しなければならず、過度の電力消費となる。
【発明の開示】
【発明が解決しようとする課題】
【０００４】
本発明の目的は、消費電力が低下した電子システムを提供することにある。
【課題を解決するための手段】
【０００５】
電子システムの実施例は、ディスプレイパネルとメインモジュールを含む。液晶パネルは、第１サブピクセル、第２サブピクセル、処理ユニットを含む。第１サブピクセルは、第１電圧を保存する第１蓄積コンデンサを含む。第２サブピクセルは、第２電圧を保存する第２蓄積コンデンサを含む。処理ユニットは、第１電圧を処理し、処理された結果を制御信号グループに基づいて第１、または第２コンデンサに伝送する。メインモジュールは、関連する機能を実行する。
【発明の効果】
【０００６】
本発明の電子システムによれば、画像間でごくわずかな変化が生じた時、処理ユニットが対応する蓄積コンデンサに保存された電圧を処理し、処理された結果を前の、または次の蓄積コンデンサに伝送する。ディスプレイパネルに表示された画像が同じ場合、処理ユニットが処理された結果を対応する蓄積コンデンサに伝送し、ソースドライバが最初に元のデータ信号を全てのサブピクセルに提供し、続いて、処理ユニットが元のデータ信号を処理し、新しいデータ信号を発生する。よって、消費電力を減少することができる。
【発明を実施するための最良の形態】
【０００７】
本発明についての目的、特徴、長所が一層明確に理解されるよう、以下に実施形態を例示し、図面を参照にしながら、詳細に説明する。
【実施例】
【０００８】
図１は、電子システムの実施例の概略図である。電子システム１００は、電力供給１１０、メインモジュール１２０と、ディスプレイパネル１３０を含む。電力供給１１０は、電力ＰＷを直接提供するバッテリーである。電力ＰＷは、直流（ＤＣ）である。いくつかの実施例では、電力供給１１０は、交流（ＡＣ）電力をＤＣ電力に変換するアダプタである。
【０００９】
メインモジュール１２０は、電力ＰＷを受け、電子システム１００のタイプに基づいて関連する機能を実行する。例えば、電子システム１００が携帯電話の場合、メインモジュール１２０は、関連する通信機能を実行する。いくつかの実施例では、電子システム１００は、ＮＢ、パソコン（ＰＣ）、またはデジタルＴＶである。
【００１０】
ディスプレイパネル１３０は、メインモジュール１２０によって制御され、画像を表示する。図２は、ディスプレイパネルの実施例の概略図である。ディスプレイパネル１３０は、ゲートドライバ２１０、ソースドライバ２２０と、サブピクセルＰ１１〜Ｐｍｎを含む。ゲートドライバ２１０は、スキャンラインＳ１〜Ｓｎによってスキャン信号をサブピクセルＰ１１〜Ｐｍｎに提供する。ソースドライバ２２０は、データラインＤ１〜Ｄｍによってデータ信号をサブピクセルＰ１１〜Ｐｍｎに提供する。１つの列（１つのスキャンライン）の全てのサブピクセルは、１つのスキャン信号によってオン、またはオフにされるため、データ信号は対応するサブピクセルに保存される。この実施例では、１つの列（１つのスキャンライン）の全てのサブピクセルは、制御信号グループＳＧによって制御される。いくつかの実施例では、列の全てのサブピクセルが複数の信号グループによってそれぞれ制御される。ゲートドライバ２１０とソースドライバ２２０の操作の説明は、当業者にはよく知られているため、省略される。この実施例では、データ信号は、バックライト（表示されていない）より発生された光がサブピクセルＰ１１〜Ｐｍｎを通過するかどうかを制御する。また、サブピクセルＰ１１〜Ｐｍｎは、赤（Ｒ）、緑（Ｇ）、または青（Ｇ）であることができる。または、単一の画素が３つのサブピクセルＲ、Ｇと、Ｂを含む。
【００１１】
図３は、１つの列のサブピクセルの実施例の概略図である。この実施例では、各サブピクセルは、制御信号グループによって制御される処理ユニットを含む。いくつかの実施例では、処理ユニットは、サブピクセルを含まず、１つの制御信号グループが全ての処理ユニットを制御する。また、処理ユニットは、全てのサブピクセルＰ１１〜Ｐｍｎを制御する。
【００１２】
サブピクセルＰ１２を例に取ると、トランジスタ３２１がスキャンラインＳ２のスキャン信号によってオンにされた時、データラインＤ１のデータ信号は、トランジスタ３２１によって蓄積コンデンサ３２２に伝送される。よって、サブピクセルＰ１２は、対応する輝度を表示する。処理ユニット３２３は、制御信号グループＳＧ２に基づいて蓄積コンデンサ３２２に保存された電圧を処理し、処理された結果を蓄積コンデンサ３１２、３２２、または３３２に伝送する。
【００１３】
ディスプレイパネル１３０が同じ画像を表示したい時、処理ユニット３２３は、処理された結果を蓄積コンデンサ３２２に保存する。ディスプレイパネル１３０が画像間のごくわずかな変化を表示するように求められた時、処理ユニット３２３は、制御信号グループＳＧ２に基づいて処理された結果を蓄積コンデンサ３１２、または３２２に保存する。
【００１４】
まず、ソースドライバ２２０が元のデータ信号をサブピクセルに提供し、続いて処理ユニットが元のデータ信号を処理して、新しいデータ信号を発生し、処理された結果（新しいデータ信号）を対応するサブピクセル提供する。ソースドライバ２２０は、データ信号を繰り返し提供しないことから、消費電力が減少される。
【００１５】
図４は、処理ユニットの実施例の概略図である。蓄積コンデンサ３２３は、サンプルホールド装置４１０、インバータ４２０と、制御装置４３０を含む。
【００１６】
サンプルホールド装置４１０は、蓄積コンデンサ３２２に保存された電圧をラッチし、制御信号グループＳＧ２の制御信号Ｃ１に基づいてラッチ信号ＳＬ１を発生する。この実施例では、サンプルホールド装置４１０は、トランジスタ４１１とコンデンサ４１２を含む。トランジスタ４１１は、Ｎ型トランジスタであり、データラインＤ１と制御装置４３０の間でコンデンサ４１２に直列接続される。
【００１７】
インバータ４２０は、ラッチ信号ＳＬ１を変換し、制御信号グループＳＧ２の制御信号Ｃ２に基づいて変換された信号ＳＩＬ１を発生する。この実施例では、インバータ４２０は、トランジスタ４２１と４２２を含む。トランジスタ４２１と４２２は、Ｎ型トランジスタであり、データラインＤ１と制御装置４３０の間で直列接続される。
【００１８】
制御装置４３０は、制御信号グループＳＧ２の制御信号Ｃ３に基づいて変換された信号ＳＩＬ１を蓄積コンデンサ３１２または３２２に伝送する。この実施例では、制御装置４３０は、トランジスタ４３１と４３２を含む。トランジスタ４３１は、Ｎ型トランジスタであり、トランジスタ４３２は、Ｐ型トランジスタである。
【００１９】
トランジスタのソースとドレインが電流の方向に基づいて決められることから、トランジスタの２つの端子は、ソース／ドレインとドレイン／ソースと言われる。トランジスタ４３１は、制御信号Ｃ３を受けるゲート、蓄積コンデンサ３１２に接続されたドレイン／ソースと、インバータ４２０に接続されたソース／ドレインを含む。トランジスタ４３２は、制御信号Ｃ３を受けるゲート、蓄積コンデンサ３２２とサンプルホールド装置４１０に接続されたドレイン／ソースと、トランジスタ４３１のソース／ドレインに接続されたソース／ドレインを含む。
【００２０】
制御信号Ｃ３が高い時、変換された信号ＳＩＬ１は、蓄積コンデンサ３１２に伝送される。制御信号Ｃ３が低い時、変換された信号ＳＩＬ１は、蓄積コンデンサ３２２に伝送される。この実施例では、制御信号Ｃ１とＣ２は、同じである。
【００２１】
図５は、処理ユニットのもう１つの実施例の概略図である。図５は、サンプルホールド装置５１０がインバータ５２０に直接、接続することを除いて同じである。サンプルホールド装置４１０、５１０と、５４０の作動原理が同じであることから、サンプルホールド装置５１０と５４０の説明は、省略される。インバータ４２０、５２０と、５５０の作動原理が同じであることから、インバータ５２０と５５０の説明は、省略される。制御装置４３０、５３０と、５６０の作動原理が同じであることから、制御装置５３０と５６０の説明は、省略される。
【００２２】
１つの制御信号のレベルが高いか、または低いとした場合、対応する装置は、作動されるか、または停止状態にされる。図６は、制御信号のタイミング図である。この実施例では、制御信号Ｃ１とＣ２が予め定められた順序で高く、制御信号Ｃ３が低いことから、サンプルホールド装置５１０とインバータ５２０が蓄積コンデンサ３２２に保存された電圧を処理し、変換された信号ＳＩＬ１を発生する。また、サンプルホールド装置５４０とインバータ５５０は、蓄積コンデンサ３３２に保存された電圧を処理し、変換された信号ＳＩＬ１を発生する。
【００２３】
処理ユニット３２３は、制御信号Ｃ１〜Ｃ３に基づいて、変換された信号ＳＩＬ１を蓄積コンデンサ３１２、３２２、または３３２に伝送する。また、処理ユニット３３３は、制御信号Ｃ１〜Ｃ３に基づいて、変換された信号ＳＩＬ２を蓄積コンデンサ３２２または３３２、または次の蓄積コンデンサ（図示されていない）に伝送する。
【００２４】
例えば、制御信号Ｃ３が連続的に低い場合、処理ユニット３２３は、変換された信号ＳＩＬ１を蓄積コンデンサ３２２に伝送し、処理ユニット３３３は、変換された信号ＳＩＬ２を蓄積コンデンサ３３２に伝送する。制御信号Ｃ３が低レベルから高レベルに変わった場合、処理ユニット３２３は、変換された信号ＳＩＬ１を蓄積コンデンサ３１２に伝送し、処理ユニット３３３は、変換された信号ＳＩＬ２を蓄積コンデンサ３２２に伝送する。
【００２５】
制御信号Ｃ１とＣ３が高く、制御信号Ｃ２が低い場合、サンプルホールド装置５１０は、蓄積コンデンサ３１２に保存された電圧を受け、サンプルホールド装置５４０は、蓄積コンデンサ３２２に保存された電圧を受ける。制御信号Ｃ２が高く、制御信号Ｃ１とＣ３が低い場合、サンプルホールド装置５１０とインバータ５２０は、蓄積コンデンサ３１２に保存された電圧を処理し、変換された信号ＳＩＬ１を発生し、続いて、変換された信号ＳＩＬ１を蓄積コンデンサ３２２に保存する。同じように、サンプルホールド装置５４０とインバータ５５０は、蓄積コンデンサ３２２に保存された電圧を処理し、変換された信号ＳＩＬ２を発生し、続いて、変換された信号ＳＩＬ２を蓄積コンデンサ３３２に保存する。
【００２６】
上述で示したように、処理ユニットは、対応する蓄積コンデンサに保存された電圧を処理し、制御信号グループに基づいて、処理された結果を前の、または次の蓄積コンデンサに伝送する。例えば、処理ユニット３２３は、蓄積コンデンサ３２２に保存された電圧を処理し、制御信号グループＳＧ２に基づいて、処理された結果を前の蓄積コンデンサ３１２、または次の蓄積コンデンサ３３２に伝送する。
【００２７】
電圧が前の蓄積コンデンサに伝送された場合、次の蓄積コンデンサを含む最後のサブピクセルは、非表示領域に配置され、その他のサブピクセルは、表示領域に配置される。非表示領域は、画像を表示することができず、表示領域は、画像表示を表示することができる。図３を例に取ると、処理ユニットが処理された結果を前の蓄積コンデンサに伝送した時、サブピクセルＰ１ｎは、非表示領域に配置され、サブピクセルＰ１１〜Ｐ１（ｎ−１）は、表示領域に配置される。処理ユニットが処理された結果を次の蓄積コンデンサに伝送した時、サブピクセルＰ１１は、非表示領域に配置され、サブピクセルＰ１２〜Ｐ１ｎは、表示領域に配置される。処理ユニットが処理された結果を前の、または次の蓄積コンデンサに伝送した時、サブピクセルＰ１１とＰ１ｎは、非表示領域に配置され、サブピクセルＰ１２〜Ｐ１（ｎ−１）は、表示領域に配置される。
【００２８】
画像間でごくわずかな変化が生じた時、処理ユニットが対応する蓄積コンデンサに保存された電圧を処理し、処理された結果を前の、または次の蓄積コンデンサに伝送する。ディスプレイパネルに表示された画像が同じ場合、処理ユニットは、処理された結果を対応する蓄積コンデンサに伝送する。ソースドライバは、最初に元のデータ信号を全てのサブピクセルに提供し、続いて処理ユニットが元のデータ信号を処理し、新しいデータ信号を発生する。よって、消費電力が減少される。
【００２９】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３０】
【図１】電子システムの実施例の概略図である。
【図２】ディスプレイパネルの実施例の概略図である。
【図３】１つの列のサブピクセルの実施例の概略図である。
【図４】処理ユニットの実施例の概略図である。
【図５】処理ユニットのもう１つの実施例の概略図である。
【図６】制御信号のタイミング図である。
【符号の説明】
【００３１】
１００  電子システム
１１０  電力供給
１２０  メインモジュール
１３０  ディスプレイパネル
２１０  ゲートドライバ
２２０  ソースドライバ
Ｐ１１〜Ｐｍｎ、Ｐ１ｎ  サブピクセル
Ｓ１〜Ｓｎ  スキャンライン
Ｄ１〜Ｄｍ  データライン
３１２、３２２、３３２  蓄積コンデンサ
３２１  トランジスタ
３２３、３３３  処理ユニット
ＳＧ１〜ＳＧｎ  制御信号グループ
Ｃ１〜Ｃ３  制御信号
ＳＬ１、ＳＬ１  ラッチ信号
ＳＩＬ１、ＳＩＬ１  変換された信号
４１０、５１０、５４０  サンプルホールド装置
４１１、５１１、５１２  トランジスタ
４１２  コンデンサ
Ｄ１  データライン
４２０、５２０、５５０  インバータ
４２１、４２２  トランジスタ
４３０、５３０、５６０  制御装置
４３１、４３２  トランジスタ
【図１】
2008268941.tif 000003
【図２】
2008268941.tif 000004
【図３】
2008268941.tif 000005
【図４】
2008268941.tif 000006
【図５】
2008268941.tif 000007
【図６】
2008268941.tif 000008